(57)【要約】【課題】再生装置からＡＶストリームをデジタル出力端子より出力し、ＡＶ出力装置のデジタル入力端子で再生装置からのＡＶストリームを受け、出力する環境において、ストリーム種別の違うＡＶデータ１、ＡＶデータ２を連続して再生する場合、なるべく早い時間で頭切れを起こすことなく、ＡＶデータ２の出力を行う。【解決手段】ＡＶデータ２の再生を行う前にＡＶデータ２と同じ種別のダミーストリームをデジタル出力より先行して出力することにより、ＡＶ出力装置の種別切替処理を先行して行わせ、再生装置はＡＶ出力装置がミュート解除した時に、ＡＶデータ２の再生を開始する。【選択図】図１
2007287199.tif 000002
【特許請求の範囲】
【請求項１】
再生を目的としたデータが記憶されているデータ記憶部と、
再生されるデータの種別を検出するデータ種別検出手段と、
前記検出したデータの種別と同じ種別のダミーデータを作成するダミーデータ作成手段と、
接続された出力装置の出力状態を受信する状態受信手段と、
前記出力装置のミュート解除を前記状態受信手段が受信するまでは前記ダミーデータを再生し、前記出力装置のミュート解除を前記状態受信手段が受信した後は前記データ記憶部のデータを再生する再生手段
を備えることを特徴とする再生装置。
【請求項２】
入力されたストリームをデコードまたは変換を行う変換手段と、
前記変換手段の出力、またはミュート信号を出力する出力手段と、
入力されたストリームを解析し、前記変換手段の設定の変更が必要な時にミュート信号を出力し、前記変換手段の設定が完了した後に前記変換手段の出力信号を出力するように、前記出力手段に指示を行う出力制御手段と、
前記出力手段の出力状態を再生装置に出力する出力装置状態送信手段と、
を備える事を特徴とする出力装置。
【請求項３】
請求項２記載の出力装置状態送信手段と、請求項１記載の状態受信手段が接続さている事を特徴とする再生システム。
【請求項４】
前記再生手段が、次に再生するデータ種別と前回再生したデータ種別が同じ場合にはダミーデータの再生を行わず、前記データ記憶部のデータを再生する事を特徴とする、請求項１記載の再生装置。
【請求項５】
取り扱うデータを音声に特化した、請求項１または請求項４記載の再生装置。
【発明の詳細な説明】
【技術分野】
【０００１】
本発明は、ＡＶアンプやデジタルＴＶなどのデジタル入力を受け、スピーカや表示管に出力を行うＡＶ出力装置と、ＡＶデータを再生し、ＡＶストリームをデジタル信号として出力する再生装置に関するものである。
【背景技術】
【０００２】
近年テレビやＡＶアンプなどのＡＶ出力装置が対応するデジタル入力ストリームの種類は、音声ではＡＣ３（Ａｕｄｉｏ  Ｃｏｄｅ  ｎｕｍｂｅｒ  ３）やＡＡＣ（Ａｄｖａｎｃｅｄ  Ａｕｄｉｏ  Ｃｏｄｉｎｇ）や、ＰＣＭ（Ｐｕｌｓｅ  Ｃｏｄｅ  Ｍｏｄｕｌａｔｉｏｎ）などがあり、また映像では、解像度種別は４８０ｐや１０８０ｉや１０８０ｐ、アスペクト種別は４：３や１６：９など、さまざまな種別が存在している。
【０００３】
一方ＤＶＤプレーヤやＨＤＤレコーダなどの再生装置も上記に示すようなさまざまな種別のＡＶストリームをＡＶ出力装置に出力する機能を有している。ところがＡＶ出力装置は、入力されるＡＶストリームの種別が変化した時にＡＶ信号の種別を特定し、出力設定を変更するのに時間がかかり、一般的にはその間、ＡＶ出力をミュートするようになっているため、ＡＶ信号の種別変化直後に頭切れを起こしてしまう課題を有している。
【０００４】
この種の課題を解決する従来技術として、次のトラックのエンファシス設定が現在のトラックエンファシス設定から変化するときに、次のトラックを再生する前に、そのエンファシス設定をサブコードに書き込んだ数秒の無音信号を出力することで、ＡＶ出力装置の音声が頭切れを起こす課題を解決している（例えば、特許文献１参照。）。
【特許文献１】特開２００３−１１５１６９号公報
【発明の開示】
【発明が解決しようとする課題】
【０００５】
しかしながら、前記従来技術は、再生装置はダミーデータ（次の再生情報を持つ無音データ）をどれだけの時間出力すれば、ＡＶ出力装置の設定が完了し、出音できるようになるのかわからないため、ＡＶ出力装置の設定が完了し、出音できるようになるまで十分な時間ダミーデータを再生し続けなければならず、実際に出音されるようになるまでに時間がかかってしまう課題を持っている。
【０００６】
本発明は、上記の課題を解決するためになされたもので、再生装置からデジタル信号をＡＶ出力装置に入力し、ＡＶ信号を出音または出画する上で頭切れすることなく、なるべく早い時間でＡＶデータを出画または出音することを目的としている。
【課題を解決するための手段】
【０００７】
上記目的を達成するために請求項１の発明は、再生を目的としたデータが記憶されているデータ記憶部と、再生されるデータの種別を検出するデータ種別検出手段と、前記検出したデータの種別と同じ種別のダミーデータを作成するダミーデータ作成手段と、接続された出力装置の出力状態を受信する状態受信手段と、前記出力装置のミュート解除を前記状態受信手段が受信するまでは前記ダミーデータを再生し、前記出力装置のミュート解除を前記状態受信手段が受信した後は前記データ記憶部のデータを再生する再生手段を備えることを特徴とする再生装置を提供する。
【０００８】
また、請求項２の発明は、入力されたストリームをデコードまたは変換を行う変換手段と、前記変換手段の出力、またはミュート信号を出力する出力手段と、入力されたストリームを解析し、前記変換手段の設定の変更が必要な時にミュート信号を出力し、前記変換手段の設定が完了した後に前記変換手段の出力信号を出力するように、前記出力手段に指示を行う出力制御手段と、前記出力手段の出力状態を再生装置に出力する出力装置状態送信手段と、を備える事を特徴とする出力装置を提供する。
【０００９】
また、請求項３の発明は、請求項２記載の出力装置状態送信手段と、請求項１記載の状態受信手段が接続さている事を特徴とする再生システムを提供する。
【００１０】
また、請求項４の発明は、前記再生手段が、次に再生するデータ種別と前回再生したデータ種別が同じ場合にはダミーデータの再生を行わず、前記データ記憶部のデータを再生する事を特徴とする、請求項１記載の再生装置を提供する。
【００１１】
また、請求項５の発明は、取り扱うデータを音声に特化した、請求項１または請求項４記載の再生装置を提供する。
【発明の効果】
【００１２】
請求項１及び請求項２及び請求項３により、今まで再生していたデータ種別と違うＡＶデータを再生する際に頭切れなく、なるべく早い時間で出画または出音することが出来る。また、請求項４により、今回再生しようとしているデータ種別が、今まで再生していたデータ種別と同等の場合は、ダミーデータ再生のオーバヘッドがないため出音または出画までの時間を不必要に長くすることはない。また、請求項５により、例えば再生装置がオーディオプレーヤであり、例えばＡＶ出力装置がＡＶアンプのように音声に特化したＡＶ再生システムでも応用することができる。
【発明を実施するための最良の形態】
【００１３】
（実施の形態）
以下に図を用いて本発明の実施の形態を説明する。図１は本発明でのＡＶ再生システムの構成を示すブロック図である。図１において、１０１は映像または音声が記録された、ＡＶデータ記憶部であり、１０３はＡＶデータ記憶部１０１らＡＶストリームを読み出し、再生制御部１０７の指示により再生手段１０５にＡＶストリームを出力し、データ種別検出手段１０２にＡＶデータを出力するデータ転送手段であり、１０２はデータ転送手段１０３より入力されたＡＶデータを解析し、データ種別を特定し再生制御部１０７へ出力するデータ種別検出手段であり、１０５は再生制御部１０７から指定されたＡＶデータを、データ転送手段を用いて、ＡＶデータ記憶部１０１からＡＶストリームを取得し、そのＡＶストリームをデコードし、デジタル信号出力手段に出力することが出来、また、再生制御部１０７から指定されたダミーストリームをダミーデータ作成手段１０４から取得し、そのダミーストリームをデコードし、デジタル信号出力手段１０６に出力する再生手段であり、１０６は再生手段から入力されたＡＶストリームを、通信フォーマットに従った形式に変換しＡＶ出力装置２に出力するデジタル信号出力手段であり、１０８は接続されたＡＶ出力装置２の出力状態を受信し、その状態を再生制御部１０７に通知するＡＶ出力装置状態受信手段であり、１０７はＡＶデータ記憶部１０１のデータを再生する時に、あらかじめ再生する予定のＡＶデータをデータ種別検出手段１０２に入力し、データ種別を特定し、特定されたデータ種別のダミーデータの再生を行い、その後、ＡＶ出力装置状態受信手段１０８より、ＡＶ出力装置２がミュートを解除したことを受けた後に、ダミーデータの再生を停止し、ＡＶデータ記憶部２のデータを再生するように指示を行う再生制御部であり、１はＡＶデータ記憶部１０１と、データ転送手段１０３と再生手段１０５とデジタル信号出力手段１０６とＡＶ出力装置状態受信手段１０８と再生制御部１０７を備えた再生装置であり、２０１は再生装置１から出力されたデジタル信号を入力し、出力信号作成手段２０２及びＡＶ出力制御部２０４に出力するデジタル信号入力手段であり、２０２はＡＶ出力制御部２０４の指示により、デジタル信号入力手段２０１から入力された、ＡＶストリームをＡＶ出力手段２０３から出力できる形式にデコードまたは変換を行い、ＡＶ出力手段２０３に出力する出力信号作成手段であり、２０３は出力信号作成手段２０２から入力されたＡＶストリームをユーザに視聴できる映像または音声を出力することが出来、ＡＶ出力制御部２０４からの指示により、出力をミュートするＡＶ出力手段であり、２０５はＡＶ出力制御部２０４からの入力を通信フォーマットに従った形式に変換し、再生装置１に出力するＡＶ出力装置状態送信手段であり、２０４はデジタル信号入力手段２０１から入力されたＡＶストリームを解析し、出力信号作成手段２０２の設定の変更が必要な時に、ＡＶ出力手段２０３にミュートの指示を行い、出力信号作成手段２０２に対して、入力データに従った変換またはデコードの設定を指示し、設定が完了した後にＡＶ出力手段２０３のミュートを解除し、ＡＶ出力装置状態送信手段２０５にミュート完了を出力するように指示を行うＡＶ出力制御部であり、２はデジタル信号入力手段２０１と出力信号作成手段２０２とＡＶ出力手段２０３とＡＶ出力制御部２０４とＡＶ出力装置状態送信手段２０５を備えたＡＶ出力装置であり、デジタル信号出力手段１０６とデジタル信号入力手段２０１は接続されており、ＡＶ出力装置状態受信手段１０８とＡＶ出力装置状態送信手段２０５は接続されている。
【００１４】
上記の様に構成されたＡＶ再生システムは、例えば、再生装置１はＨＤＤレコーダであり、ＡＶ出力装置２はデジタルＴＶであり、再生装置１とＡＶ出力装置２は双方通信が可能なＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）によって接続されており、図６の様に記録されたＡＶデータ記憶部１０１のＡＶデータ１とＡＶデータ２を連続再生する場合、出力信号作成手段２０２の設定が、入力信号の解像度が４８０ｐ、音声フォーマットがＡＣ３に変わりＡＶ出力手段２０３のミュートが解除された直後にＡＶデータ２の再生が開始され、頭切れなく、なるべく早い時間で出画及び出音することが出来る。
【００１５】
次に図１、図２、図３、図４、図５、図６を用いて、本発明の実施例を説明する。本実施例において、再生装置１は録画及び再生が可能なＨＤＤレコーダであり、ＡＶデータ記憶部１０１には図６の様にバＡＶデータが記録されており、デジタル信号出力手段１０６とデジタル信号入力手段２０１及び、ＡＶ出力装置状態受信手段１０８とＡＶ出力装置状態送信手段２０５はＨＤＭＩケーブルで接続されており、ＡＶ出力装置状態受信手段１０８とＡＶ出力装置状態送信手段２０５はＣＥＣ（Ｃｏｎｓｕｍｅｒ  Ｅｌｅｃｔｒｏｎｉｃｓ  Ｃｏｎｔｒｏｌ）プロトコルを用いて通信を行う物とする。
【００１６】
次に図２を用いて、再生制御部１０７がＡＶデータ記憶部１０１のＡＶデータ２を再生する手続きの実施例を説明する。Ｓ１００はＡＶデータ１のデータ種別を取得するため、ＡＶデータ２の管理情報を読み出し、ＡＶデータ２の解像度及び音声フォーマットを取得し、ＡＶデータ２種別に格納する。Ｓ１０１は前回再生したＡＶデータの種別とＡＶデータ２種別を比較し同じである場合は次にＳ１０６の処理を行い、違う場合は、次にＳ１０２の処理を行う。Ｓ１０２は、ＡＶデータ２種別である解像度が４８０ｐの黒画面と音声フォーマットがＡＣ３の無音データであるダミーデータを作成し再生を行う。Ｓ１０３はＡＶ出力装置２のミュートがＯＮに変化することを待つ処理であり、Ｓ１０３−１はで５００ｍｓのタイムオーバ時間を設定する。Ｓ１０３−２は１０３−１で設定した時間が経過していれば次にＳ１０５の処理を行い、経過していなければＳ１０３−３の処理を行う。
Ｓ１０３−３は、ＣＥＣプロトコルを用いて、ＡＶ出力装置２のミュート状態を取得し、ＡＶ出力装置２のミュート状態がＯＮならば、次にＳ１０４の処理を行い、ミュート状態がＯＦＦであればＳ１０３−１に戻る。Ｓ１０４はＡＶ出力装置２のミュートがＯＦＦに変化することを待つ処理でありＳ１０４−１はで６０００ｍｓのタイムオーバ時間を設定する。
Ｓ１０４−２は１０４−１で設定した時間が経過していれば次にＳ１０５の処理を行い、経過していなければＳ１０４−３の処理を行う。Ｓ１０４−３は、ＣＥＣプロトコルを用いて、ＡＶ出力装置２のミュート状態を取得し、ＡＶ出力装置２のミュート状態がＯＦＦならば、次にＳ１０４の処理を行い、ミュート状態がＯＮであればＳ１０４−１に戻る。Ｓ１０５はＳ１０２で再生した、ダミーデータの再生を停止する処理である。Ｓ１０６はＡＶデータ２の再生を行う処理である。
【００１７】
次に図３を用いて、再生装置１がＡＶデータ１を再生した後に、ＡＶデータ２を再生した時にＡＶ出力装置２が入力されるＡＶストリームの種別の変化を検知した時の処理の流れを説明する。Ｓ２０１は再生装置１にミュートＯＮを通知する。Ｓ２０２はＡＶ出力手段２０３をミュートＯＮに設定し、映像及び音声の出力を黒画面及び無音にする。Ｓ２０３は出力信号作成手段２０２の設定を、入力解像度を１０８０ｉから４８０ｐに、また、入力音声フォーマットをＬＰＣＭからＡＣ３にする。Ｓ２０４はＡＶ出力手段２０３をミュートＯＦＦにし、出力信号作成手段２０２から入力されたＡＶストリームが出力されるようにする。Ｓ２０５は再生装置２にミュートＯＦＦを通知する。
【００１８】
次に図４を用いて、再生装置１がＡＶデータ１を再生した後に、ＡＶデータ２を再生した時の再生装置１とＡＶ出力装置２の処理シーケンスを説明する。Ｔ１のタイミングでは再生手段１０５はＳＥ１３０でＡＶデータ１の再生を行っており、デジタル信号出力手段はＳＥ１４０でＡＶデータ１が再生された映像解像度が１０８０ｉで音声フォーマットがＬＰＣＭのＡＶストリームを出力しており、出力信号作成手段２０２はＳＥ２１０で入力映像解像度が１０８０ｉで入力音声フォーマットがＬＰＣＭの設定で、ＡＶストリームをデコードしＡＶ出力手段２０３に出力しており、ＡＶ出力手段２０３はＡＶデータ１を出力している。Ｔ２のタイミングで、再生手段１０５はＡＶデータ１の再生が終了し、ＡＶデータ１再終了を再生制御部１０７に通知する。デジタル信号出力手段１０６はＡＶデータ１の再生が終了したことにより、ＳＥ１４１で出力されるＡＶストリームは黒画面と無音のストリームになる。また、再生制御部１０７はＡＶデータ１再生終了を受けて、ＡＶデータ２を再生するためにＳＥ１００で、データ取得手段１０２にＡＶデータ２の種別取得指示を行い、データ取得手段１０２は、ＡＶデータ２を解析し解像度が４８０ｐであり、音声フォーマットがＡＣ３であることを特定し、再生制御部１０７に特定した種別情報を返すし、再生制御部１０７はＡＶデータ２の種別取得が完了すると、前回再生したＡＶデータ１の種別情報とＡＶデータ２の種別情報の比較を行い、種別情報に差があるため、ＡＶデータ２の種別である、解像度が４８０ｐで音声フォーマットがＡＣ３のダミーデータの再生を再生手段１０５に指示する。また、ＡＶ出力手段２０３はデジタル信号出力手段１０６から黒画面と無音のストリームが出力されているため、同様に黒画面と無音が出力されることになる。Ｔ３では、再生制御部１０７はＳＥ１０１でＡＶ出力装置２からのミュートＯＮ待ちとなり、再生手段１０５はＳＥ１３１で前記ダミーデータの再生を行い、デジタル信号出力手段はＳＥ１４２で、解像度が４８０ｐであり、音声フォーマットがＡＣ３のダミーストリームを出力し、ＡＶ出力制御部２０４はＳＥ２００で入力されるＡＶストリームが変化したことを検知し再生制御部１０７にミュートＯＮを通知した後で、ＡＶ出力手段２０３をミュートすし、再生制御部１０７はミュートＯＮが通知されたことを受けて、ＡＶ出力装置２からのミュートＯＦＦ待ちになる。この区間Ｔ３は、ダミーストリームが出力信号作成手順の持つバッファに蓄積され、実際に出力されるまでの期間に行われるため、このタイミングで、ダミーストリームがＡＶ出力手段から出力されることはない。
【００１９】
Ｔ４では、ＡＶ出力手段２０３はＳＥ２２１でミュート状態となり、このミュート期間中にＡＶ出力制御部２０４はＴ３に引き続きＳＥ２００で、出力信号作成手段２０２に入力解像度４８０ｐ、音声フォーマットＡＣ３の設定を行い、出力信号作成手段２０２はＳＥ２１１で映像ストリームのスケーリングの設定を入力解像度４８０ｐ用に設定し、音声デコーダをＡＣ３用に設定を行い、ＳＥ２１２でＡＶデータ２用の設定が完了した状態となり、ＡＶ出力制御部２０４は、出力信号作成手段２０２の設定が完了したら、ＡＶ出力手段２０３のミュートを解除する。
【００２０】
Ｔ５では出力信号作成手段２０２の設定が完了し、ＡＶ出力手段２０３はＳＥ２２２でミュート解除状態となっているが、再生手段１０５はまだダミーデータの再生を続けているために黒画面と無音を出力している状態であり、ＡＶ出力制御部２０４はＴ４に引き続きＳＥ２００でミュートＯＦＦを再生制御部１０７に通知し、ミュートＯＦＦを受けた再生制御部１０７はＳＥ１０３で再生手段１０５に対し、再生停止を指示する。
【００２１】
Ｔ６ではデジタル信号出力手段１０６はダミーデータの再生が終了したことによりＳＥ１４３で、出力されるＡＶストリームは黒画面と無音のストリームになり、ＡＶ出力手段２０３はデジタル信号出力手段１０６から黒画面と無音のストリームが出力されているため、同様に黒画面と無音が出力されることになる。
【００２２】
Ｔ７ではＴ６に引き続き再生制御部１０７はＳＥ１０３で再生手段１０５にＡＶデータ２の再生指示を行い、再生手段１０５はＳＥ１３２でＡＶデータ２の再生を行い、デジタル信号出力手段は、ＳＥ１４４で、解像度４８０ｐで、音声フォーマットＡＣ３のＡＶデータ２のＡＶストリームを出力し、ＡＶ出力手段２０３はミュートされることなく、ＡＶデータ２の出力を行うことが出来る。
【００２３】
なお、本実施例ではＡＶ出力装置状態受信手段１０８とＡＶ出力装置状態送信手段２０５はＣＥＣ（Ｃｏｎｓｕｍｅｒ  Ｅｌｅｃｔｒｏｎｉｃｓ  Ｃｏｎｔｒｏｌ）プロトコルを用いているが、ＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）プロトコルを用いても同等の効果を得ることが出来る。
【００２４】
なお、本実施例ではＡＶデータ種別を特定するのに映像の解像度と音声フォーマットのみを用いたが、例えば図５に示す項目と種別に対応することで同等の効果を得ることが出来る。
【００２５】
なお、本実施例では、すでにＡＶデータ記憶部１０１に記録されＡＶデータ１とＡＶデータ２の説明をしたが、デジタルチューナ搭載のＨＤＤレコーダなどの場合は、番組視聴中から、ＡＶデータ記憶部１０１に記憶されているＡＶデータを再生する時に、視聴中の番組のデータ種別と再生するＡＶデータのデータ種別に差があった時も同等の構成により効果が得られる。
【００２６】
上記にて説明したように、ストリーム種別の違うＡＶデータ１、ＡＶデータ２を連続して再生する場合、なるべく早い時間で頭切れを起こすことなく、ＡＶデータ２の出力を行う事が出来るＡＶ再生システムを得ることが出来る。
【産業上の利用可能性】
【００２７】
本発明は、ＡＶアンプやデジタルＴＶなどのデジタル入力を受け、スピーカや表示管に出力を行うＡＶ出力装置と、ＡＶデータを再生し、ＡＶストリームをデジタル信号として出力する再生装置に適用できる。
【図面の簡単な説明】
【００２８】
【図１】ＡＶ再生システム構成図
【図２】再生制御部の再生時の手続きを表した図
【図３】ＡＶ出力制御部の入力データ種別変化時の手続きを表した図
【図４】ＡＶデータ１からＡＶデータ２を連続再生するシーケンスを表した図
【図５】ＡＶデータ種別の例を表した図
【図６】ＡＶデータ記憶部に記憶しているＡＶデータの例を表した図
【符号の説明】
【００２９】
１    再生装置
１０１    ＡＶデータ記憶部
１０２    データ種別検出手段
１０３    データ転送手段
１０４    ダミーデータ作成手段
１０５    再生手段
１０６    デジタル信号出力手段
１０７    再生制御部
１０８    ＡＶ出力装置状態受信手段
２    ＡＶ出力装置
２０１    デジタル信号入力手段
２０２    出力信号作成手段
２０３    ＡＶ出力手段
２０４    ＡＶ出力制御部
２０５    ＡＶ出力装置状態送信手段
【図１】
2007287199.tif 000003
【図２】
2007287199.tif 000004
【図３】
2007287199.tif 000005
【図４】
2007287199.tif 000006
【図５】
2007287199.tif 000007
【図６】
2007287199.tif 000008